(57)【要約】【課題】輸送前後の各フレームの組立・分解作業の手間を軽減できるチュービング装置の輸送方法を提供する。【解決手段】チュービング装置１１は、地上に据え付けるベースフレーム１２と、ベースフレーム１２の上方に昇降シリンダ１３を介して昇降可能に設けるドライブフレーム１４と、ドライブフレーム１４の上方にチャックシリンダ１５を介して昇降可能に設けるチャックフレーム１６とを備える。昇降シリンダ１３の下端をベースフレーム１２に、昇降シリンダ１３のシリンダチューブをドライブフレーム１４にそれぞれ連結する。輸送時には、昇降シリンダ１３の下端をベースフレーム１２から取り外した後、チャックフレーム１６とともにドライブフレーム１４を吊り上げてベースフレーム１２から切り離し、連結された状態のドライブフレーム１４及びチャックフレーム１６と、ベースフレーム１２とを輸送車両の荷台に傾斜状態でそれぞれ載置して輸送する。【選択図】図１
2019183435.tif 000002
【特許請求の範囲】
【請求項１】
地上に据え付けられるベースフレームと、該ベースフレームの上方に昇降シリンダを介して昇降可能に設けられるドライブフレームと、該ドライブフレームの上方にチャックシリンダを介して昇降可能に設けられるチャックフレームとを備え、前記昇降シリンダは、下端が前記ベースフレームに、シリンダチューブが前記ドライブフレームにそれぞれ連結されたチュービング装置の輸送方法において、
前記昇降シリンダの下端を前記ベースフレームから取り外した後、前記チャックフレームとともに前記ドライブフレームを吊り上げて前記ベースフレームから切り離し、連結された状態の前記ドライブフレーム及び前記チャックフレームを輸送車両の荷台に第１の傾斜支持台を介して傾斜状態で輸送し、前記ベースフレームを輸送車両の荷台に第２の傾斜支持台を介して傾斜状態で輸送することを特徴とするチュービング装置の輸送方法。
【発明の詳細な説明】
【技術分野】
【０００１】
本発明は、チュービング装置の輸送方法に関し、詳しくは、チュービング装置をトレーラの荷台に斜めに傾斜させた状態で載置して輸送するチュービング装置の輸送方法に関する。
【背景技術】
【０００２】
従来、基礎工事で使用される大型のチュービング装置では、輸送する際に大型のフレームを輸送制限内に抑えて輸送しなければならないため、地上に据え付けられるベースフレームと、ベースフレームの上方に昇降可能に設けられたドライブフレームと、ドライブフレームの上方に昇降可能に設けられたチャックフレームとに分解し、さらに、各フレームをトレーラの荷台に傾斜支持台を介して斜めに傾斜させた状態でそれぞれ載置して輸送していた（例えば、特許文献１参照。）。
【先行技術文献】
【特許文献】
【０００３】
【特許文献１】特開２０１７−１２５２９９号公報
【発明の概要】
【発明が解決しようとする課題】
【０００４】
しかし、ベースフレームとドライブフレームとチャックフレームとは、昇降シリンダやチャックシリンダを介して昇降可能に連結されていることから、輸送前後に各フレームの組立・分解作業に多大な手間を要していた。
【０００５】
一方、上空スペースが制限された建設現場で用いられる低空頭・軽量タイプのチュービング装置でも、大型になると各フレームを分解してトレーラの荷台に斜めに傾斜させた状態で輸送しなければならないことがあるが、各フレームが比較的薄く形成されていることから、輸送制限に余裕がある状態で輸送されていた。
【０００６】
そこで本発明は、輸送前後の各フレームの組立・分解作業の手間を軽減させることができる大型のチュービング装置の輸送方法を提供することを目的としている。
【課題を解決するための手段】
【０００７】
上記目的を達成するため、本発明のチュービング装置の輸送方法は、地上に据え付けられるベースフレームと、該ベースフレームの上方に昇降シリンダを介して昇降可能に設けられるドライブフレームと、該ドライブフレームの上方にチャックシリンダを介して昇降可能に設けられるチャックフレームとを備え、前記昇降シリンダは、下端が前記ベースフレームに、シリンダチューブが前記ドライブフレームにそれぞれ連結されたチュービング装置の輸送方法において、
前記昇降シリンダの下端を前記ベースフレームから取り外した後、前記チャックフレームとともに前記ドライブフレームを吊り上げて前記ベースフレームから切り離し、連結された状態の前記ドライブフレーム及び前記チャックフレームを輸送車両の荷台に第１の傾斜支持台を介して傾斜状態で輸送し、前記ベースフレームを輸送車両の荷台に第２の傾斜支持台を介して傾斜状態で輸送することを特徴としている。
【発明の効果】
【０００８】
本発明のチュービング装置の輸送方法によれば、ベースフレームと、連結した状態のドライブフレーム及びチャックフレームとに２分割した状態で輸送することができ、輸送前後に各フレームの組立・分解作業の手間を軽減させることができる。
【図面の簡単な説明】
【０００９】
【図１】本発明のチュービング装置の一形態例を示す正面図である。
【図２】同じくチュービング装置の側面図である。
【図３】同じくチュービング装置の平面図である。
【図４】同じく接続されたドライブフレーム及びチャックフレームを第１の傾斜支持台に載置した状態の正面図である。
【図５】同じく接続されたドライブフレーム及びチャックフレームを第１の傾斜支持台に載置した状態の側面図である。
【図６】同じくベースフレームを第２の傾斜支持台に載置した状態の正面図である。
【図７】同じくベースフレームを第２の傾斜支持台に載置した状態の側面図である。
【発明を実施するための形態】
【００１０】
図１乃至図３は本発明のチュービング装置の一形態例を示す図である。本形態例のチュービング装置１１は、低空頭・軽量タイプで、且つ、直径が３０００ｍｍを超えるケーシングチューブを施工する大型のチュービング装置で、地上に据え付けられるベースフレーム１２と、該ベースフレーム１２の上方に４本の昇降シリンダ１３を介して昇降可能に設けられたドライブフレーム１４と、該ドライブフレーム１４の上方に４本のチャックシリンダ１５を介して昇降可能に設けられたチャックフレーム１６と、ベースフレーム１２、ドライブフレーム１４及びチャックフレーム１６の中央部を鉛直方向に貫通したケーシングチューブ挿通孔１７とを備えている。
【００１１】
ベースフレーム１２、ドライブフレーム１４、チャックフレーム１６は、平面視長方形状に形成され、各フレーム１２，１４，１６の四隅部に前記昇降シリンダ１３が配置されている。昇降シリンダ１３は、下端がベースフレーム１２に設けた昇降シリンダ接続部１２ａに、シリンダチューブがドライブフレーム１４に、複数のボルトにてそれぞれ連結されている。また、ドライブフレーム１４及びチャックフレーム１６の長辺側には、昇降シリンダ１３に隣接する位置に、前記チャックシリンダ１５がそれぞれ配置され、チャックシリンダ１５の両端は、ドライブフレーム１４とチャックフレーム１６とにそれぞれ設けられたチャックシリンダ接続部１４ａ，１６ａにそれぞれ接続されている。
【００１２】
ドライブフレーム１４は、両短辺側の昇降シリンダ１３，１３の間に、モータ１８が２台ずつ配置され、また、ケーシングチューブ挿通孔１７に、ケーシングチューブをチャックする下部チャック部材が周方向に等間隔に設けられている。
【００１３】
チャックフレーム１６は、ケーシングチューブ挿通孔１７の周囲に、ケーシングチューブをチャックする複数の上部チャック部材１９が周方向に等間隔に設けられている。また、チャックフレーム１６の長辺側の上端部には面取り部１６ｂが形成されている。チャックフレーム１６の上面には、周囲に拡張デッキ２０や手摺２１や梯子２２を着脱可能に備えた作業台２３が設けられ、該作業台２３の長辺側は、チャックフレーム１６よりも外方に突出しない長さで形成されている。また、作業台２３の上面には、４個の吊り金具２４が設けられている。
【００１４】
次に、上述のチュービング装置１１の輸送方法について説明する。チュービング装置１１は、基礎工事開始前に現地に搬入され、基礎工事終了後に現地から搬出されるもので、輸送に際しては、ベースフレーム１２と、連結した状態のドライブフレーム１４及びチャックフレームとに２分割して輸送される。幅寸法が大きいこれらのフレーム１２，１４，１６は、輸送制限内に抑えるために、トレーラの荷台に傾斜支持台２５，２６を介して、長辺側一側を上昇させた傾斜状態にして輸送される。
【００１５】
基礎工事終了後に現地からチュービング装置１１を搬出する際には、まず、チャックフレーム１６から、拡張デッキ２０や手摺２１及び梯子２２を取り外す。次いで、ベースフレーム１２の各昇降シリンダ接続部１２ａと各昇降シリンダ１３の下端部を連結している複数のボルトを取り外す。さらに、吊り金具２４にクレーンのワイヤを架け渡して吊り上げ、ドライブフレーム１４及びチャックフレーム１６からベースフレーム１２を切り離し、フレーム１２，１４，１６を、ベースフレーム１２と、連結した状態のドライブフレーム１４及びチャックフレーム１６とに２分割する。
【００１６】
さらに、図４及び図５に示されるように、連結した状態のドライブフレーム１４及びチャックフレーム１６を、トレーラの荷台に固定された第１の傾斜支持台２５の支持枠２５ａ上に載置し、固定手段で固定する。この時、チャックフレーム１６の長辺側の上端部に面取り部１６ｂが設けられ、また、作業台２３の下端部がチャックフレーム１６よりも突出しない長さで形成されることから、ドライブフレーム１４及びチャックフレーム１６を傾斜した状態で積載した際に、積載幅を抑えることができ、ドライブフレーム１４及びチャックフレーム１６を輸送制限内に抑えることができる。
【００１７】
次に、図６及び図７に示されるように、切り離されたベースフレーム１２にクレーンのワイヤを架け渡して吊り上げ、トレーラの荷台に固定された第２の傾斜支持台２６の支持枠２６ａ上に載置し、固定手段で固定する。また、基礎工事開始前に、２分割されたチュービング装置１１の各フレーム１２，１４，１６を現地に搬入し、組み立てる際は、上述の分解作業と逆の手順で組み立て作業が行われる。
【００１８】
フレーム１２，１４，１６を３分割して輸送しなくても輸送制限に余裕がある場合では、上述のような方法でチュービング装置をベースフレーム１２と、連結した状態のドライブフレーム１４及びチャックフレーム１６とに２分割した状態で輸送することで、輸送前後に各フレームの組立・分解作業の手間を軽減させることができる。
【００１９】
なお、上述の形態例のチュービング装置の全体的な構成は、従来のチュービング装置と同等である。また、本発明は上述の形態例に限らず、低空頭・軽量タイプ以外のチュービング装置にも適用することができる。
【符号の説明】
【００２０】
１１…チュービング装置、１２…ベースフレーム、１２ａ…昇降シリンダ接続部、１３…昇降シリンダ、１４…ドライブフレーム、１４ａ…チャックシリンダ接続部、１５…チャックシリンダ、１６…チャックフレーム、１６ａ…チャックシリンダ接続部、１６ｂ…面取り部、１７…ケーシングチューブ挿通孔、１８…モータ、１９…上部チャック部材、２０…拡張デッキ、２１…手摺、２２…梯子、２３…作業台、２４…吊り金具、２５，２６…傾斜支持台、２５ａ，２６ａ…支持枠
【図１】
2019183435.tif 000003
【図２】
2019183435.tif 000004
【図３】
2019183435.tif 000005
【図４】
2019183435.tif 000006
【図５】
2019183435.tif 000007
【図６】
2019183435.tif 000008
【図７】
2019183435.tif 000009